(57)【要約】【課題】照明器具の保持部の位置が配線ダクトの連結部材の位置と重なる場合でも照明器具を所望位置で配線ダクトに取り付けることができる照明器具を提供する。【解決手段】配線ダクトに取り付けられる照明器具１０であって、筐体１２と、筐体１２に設けられた光源と、筐体１２内に収容され、配線ダクト２内の電源線６から供給される電力を光源に供給する電源部と、筐体１２を配線ダクト２に保持させる一対の保持部１６ａ，１６ｂとを備える。一対の保持部１６ａ，１６ｂの少なくとも一方には電源線６に接続される給電端子が設けられる。一対の保持部１６ａ，１６ｂの少なくとも一方は、一対の保持部１６ａ，１６ｂの並び方向にスライド可能に設けられている。【選択図】図２
2020123439.tif 000002
【特許請求の範囲】
【請求項１】
配線ダクトに取り付けられる照明器具であって、
筐体と、
前記筐体に設けられた光源と、
前記筐体内に収容され、前記配線ダクト内の電源線から供給される電力を前記光源に供給する電源部と、
前記筐体を前記配線ダクトに保持させる一対の保持部と、を備え、
前記一対の保持部の少なくとも一方には前記電源線に接続される給電端子が設けられ、
前記一対の保持部の少なくとも一方は、前記一対の保持部の並び方向にスライド可能に設けられている、照明器具。
【請求項２】
前記筐体は長手方向を有する部材であり、
前記一対の保持部の少なくとも一方は、前記筐体の長手方向にスライド可能である、請求項１に記載の照明器具。
【請求項３】
前記一対の保持部は、それぞれ、長辺方向および短辺方向を有する保持片を有し、各保持片は前記筐体に対して回動可能に設けられており、前記配線ダクトの長手方向に延在する開口部に、前記保持片がその長辺方向が前記配線ダクトの長手方向に沿った向きで挿入され、この状態で前記保持片がその長辺方向が前記配線ダクトの長手方向と交差する向きに回動することによって前記保持片が前記開口部の内側に係合することにより前記筐体が前記配線ダクトに保持される、請求項１または２に記載の照明器具。
【請求項４】
前記筐体の側面に、前記保持片を回動させるレバーが突出して設けられている、請求項３に記載の照明器具。
【請求項５】
前記配線ダクトと、
前記配線ダクトに取り付けられる請求項１〜４のいずれか一項に記載の照明器具と、を備える、照明システム。
【発明の詳細な説明】
【技術分野】
【０００１】
本開示は、照明器具および照明システムに関する。
【背景技術】
【０００２】
特許文献１には、配線ダクトに取り付けられる照明器具が記載されている。この照明器具は、筐体状の電源収納部と、電源収納部にアーム部を介して回動可能に設けられる灯具とを備える。電源収納部の上面には、接続部材と保持部材とが電源収納部の長辺方向に間隔をあけて設けられている。接続部材および保持部材は、電源収納部に対して回動可能に構成されている。これにより、接続部材および保持部材を、配線ダクトの長尺状の開口部に挿入した状態で、接続部材および保持部材を長辺方向が配線ダクトの長手方向と交差するように回動させることによって、接続部材および保持部材が配線ダクトの開口部の内面に係合し、その結果、照明器具が配線ダクトに保持されるようになっている。
【先行技術文献】
【特許文献】
【０００３】
【特許文献１】特開２０１６−１６７３６７号公報
【発明の概要】
【発明が解決しようとする課題】
【０００４】
配線ダクトは長尺状の部材であり、複数の配線ダクトが連結部材によって連結されて用いられることがある。このような配線ダクトに複数の照明器具を隣接して取り付ける場合、配線ダクトの連結部材に照明器具の保持部が干渉することがある。その場合、照明器具の位置をずらして配置する必要があり、隣接する照明器具との間に隙間が空いてしまい、複数の照明器具を含む照明システムの見栄えが損なわれることがある。
【０００５】
本開示の目的は、照明器具の保持部の位置が配線ダクトの連結部材の位置と重なる場合でも照明器具を所望位置で配線ダクトに取り付けることができる照明器具を提供することにある。
【課題を解決するための手段】
【０００６】
本開示に係る照明器具は、配線ダクトに取り付けられる照明器具であって、筐体と、筐体に設けられた光源と、筐体内に収容され、配線ダクト内の電源線から供給される電力を光源に供給する電源部と、筐体を配線ダクトに保持させる一対の保持部と、を備え、一対の保持部の少なくとも一方には電源線に接続される給電端子が設けられ、一対の保持部の少なくとも一方は、一対の保持部の並び方向にスライド可能に設けられている。
【０００７】
本開示の一態様である照明システムは、配線ダクトと、配線ダクトに取り付けられる上記構成の照明器具とを備える。
【発明の効果】
【０００８】
本開示に係る照明器具および照明システムによれば、照明器具の保持部の位置が配線ダクトの連結部材の位置と重なる場合でも照明器具を所望位置で配線ダクトに取り付けることができ、複数の照明器具を含む照明システムの見栄えを良くすることができる。
【図面の簡単な説明】
【０００９】
【図１】本開示の一実施形態である照明システムの側面図である。
【図２】図１中の矢印Ａ方向から見た照明システムの端面図である。
【図３】照明システムを構成する照明器具の斜視図である。
【図４】第１保持部の（ａ）非係合位置と（ｂ）係合位置を示す図である。
【図５】第２保持部の（ａ）非係合位置と（ｂ）係合位置を示す図である。
【図６】照明器具の機能ブロック図である。
【図７】（ａ），（ｂ）は照明器具の変形例をそれぞれ示す図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
図１は、本開示の一実施形態である照明システム１の側面図である。図１に示すように、照明システム１は、配線ダクト２と、配線ダクト２に取り付けられた照明器具１０とを備える。
【００１２】
配線ダクト２は、例えば建物内の天井面（図示せず）に固定されて設置される。配線ダクト２は、照明器具１０を取り付けるとともに照明器具１０に対して電力を供給する機能を有する。
【００１３】
配線ダクト２は、例えば樹脂材料によって形成される長尺状の部材であり、連結部材３によって複数の配線ダクト２が直線状に連結されて設置される。照明器具１０は、連結部材３によって連結される複数の配線ダクト２の下面に複数取り付けられている。本実施形態では、複数の照明器具１０が略隙間なく隣接した状態で、配線ダクト２に取り付けられている。
【００１４】
図２は、図１中の矢印Ａ方向から見た照明システム１の端面図である。図２に示すように、配線ダクト２は、上側ダクト部４と下側ダクト部５とを有する。上側ダクト部４と下側ダクト部５は、例えばネジ留め等によって互いに固定されている。
【００１５】
上側ダクト部４は、底面部４ａと、底面部４ａの両側端縁部から略直角に立ち上がった側壁部４ｂを有している。各側壁部４ｂの上端部は、内側に傾斜して曲がった形状を有する。上側ダクト部４の上部は、各側壁部４ｂの間が、配線ダクト２の長手方向に沿って開口している。
【００１６】
下側ダクト部５は、底面部５ａと、底面部５ａの両側端縁部から略直角に垂下した側壁部５ｂを有する。側壁部５ｂの内面には、中空状の第１リブ５ｃと、板状の第２リブ５ｄが上下方向に隙間をあけて且つそれぞれ突出して形成されている。第１リブ５ｃと第２リブ５ｄとの間には、２本の電源線６，６が側壁部５ｂに接した状態で配置されている。
【００１７】
下側ダクト部５において２つの第２リブ５ｄの間には、配線ダクト２の長手方向に沿って延在する開口部７が形成されている。詳しくは後述するが、この開口部７に保持部が挿入されて第１及び第２リブ５ｃ，５ｄの間に保持片が係合することによって、照明器具１０が配線ダクト２に取り付けられる。
【００１８】
なお、本実施形態では配線ダクト２が上側ダクト部４と下側ダクト部５とによって構成される場合について説明するが、これに限定されるものではなく、配線ダクトは一体をなす樹脂部材によって構成されてもよい。
【００１９】
図３は、照明システム１を構成する照明器具１０の斜視図である。図２および図３に示すように、照明器具１０は、筐体１２と、発光板１４とを備える。筐体１２は、長手方向を有する長尺状の部材である。筐体１２は、例えば、樹脂部材によって好適に構成される。筐体１２は、上部１２ａと、上部１２ａよりも幅広の下部１２ｂとを有する。上部１２ａは、例えばネジ留め等によって下部１２ｂに取り付けられている。下部１２ｂの内部に、後述する光源および電源部が収容されている。
【００２０】
発光板１４は、筐体１２の下面から突出する板状の部材であり、筐体１２の長手方向に沿って延在している。発光板１４の上部は、筐体１２の下部１２ｂの内部に挿入された状態で配置されている。発光板１４は、筐体１２内に配置された光源からの光が上端部から導入されることによって発光板１４の側面全体が発光する光拡散板である。発光板１４は、例えば、樹脂板またはガラス板等によって好適に構成される。
【００２１】
なお、発光板１４は、両側の側面が発光する場合に限定されるものではなく、一方の側面だけが発光するものであってもよいし、或いは、両側の側面が不透光層によって覆われていて下端縁部だけから光を出射するものであってもよい。
【００２２】
図３に示すように、照明器具１０は、一対の保持部１６ａ，１６ｂを備える。一対の保持部１６ａ，１６ｂは、筐体１２の長手方向に間隔をあけて設けられており、筐体１２の上部１２ａの上面からそれぞれ突出している。以下において、一方の保持部１６ａを第１保持部１６ａといい、他方の保持部１６ｂを第２保持部１６ｂということがある。
【００２３】
第１及び第２保持部１６ａ，１６ｂは、保持片１７ａ，１７ｂを有する。保持片１７ａ，１７ｂは、長辺方向と短辺方向を有する形状の板状部材である。本実施形態では、各保持片１７ａ，１７ｂは平面視で長方形状をなしている。
【００２４】
各保持片１７ａ，１７ｂは、筐体１２の上部１２ａの上面から突出する軸部材１８に固定されている。軸部材１８の上端部にはワッシャ部２０が固定されており、軸部材１８から保持片１７ａ，１７ｂが脱落しないようになっている。
【００２５】
軸部材１８の下端部は、筐体１２の下部１２ｂの上壁部に回動可能に取り付けられている。また、軸部材１８には、保持片１７ａ，１７ｂを回動操作するためのレバー２２が固定されている。レバー２２の両端は、筐体１２の上部１２ａの両側の側壁面のスリット２４を介して外側に突出している。これにより、照明器具１０において、レバー２２を操作することで、保持片１７ａ，１７ｂが、その長辺方向が配線ダクト２の長手方向（すなわち筐体１２の長手方向）に沿った向きとなる非係合位置と、その長手方向が配線ダクト２の長手方向（すなわち筐体１２の長手方向）と交差した向きである係合位置に、回動させることができる。
【００２６】
本実施形態の照明器具１０では、第１保持部１６ａの保持片１７ａは、給電端子となっている。具体的には、保持片１７ａ自体が導電性を有する金属板によって形成されることで給電端子になっていてもよいし、或いは、導電性を有する金属板が樹脂性の保持片１７ａに重ねて設けられることで給電端子となっていてもよい。後述するように、給電端子は、保持片１７ａが配線ダクト２内で係合位置に回動したとき、配線ダクト２内の電源線６（図２参照）に接続され、これにより給電端子を介して筐体１２内の電源部に電力を供給することができる。
【００２７】
図４は、第１保持部１６ａの（ａ）非係合位置と（ｂ）係合位置を示す図である。図４（ａ）に示すように、保持片１７ａが、その長辺方向が筐体１２の長手方向に沿った非係合位置にあるとき、レバー２２の両端が筐体１２の上部１２ａの両側の側面から突出している。この状態で、照明器具１０を配線ダクト２に下方から接近させることで、配線ダクト２の下側ダクト部５の開口部７から第１保持部１６ａの保持片１７ａを挿入することができる。
【００２８】
第１保持部１６ａの保持片１７ａが下側ダクト部５内に挿入された状態で、レバー２２を矢印方向に回動操作すると、図４（ｂ）に示すように、保持片１７ａが、その長手方向が筐体１２の長手方向と交差する向き、より詳しくは、筐体１２の長手方向と略直交する向きとなる係合位置となる。これにより、保持片１７ａの長手方向の両端部が下側ダクト部５の第１リブ５ｃと第２リブ５ｄとの間に係合し、照明器具１０が配線ダクト２に保持される。また、このとき保持片１７ａが給電端子として機能し、保持片１７ａの長手方向の両端部が下側ダクト部５内の電源線６に接続される。
【００２９】
図４（ｂ）に示すように、レバー２２が回動操作されたとき、レバー２２の両端部が筐体１２の上部１２ａと下部１２ｂとの境界に形成される段部１３内に納まるように構成されている。これにより、配線ダクト２に取り付けられた状態での照明器具１０の外観がすっきりした良好なものになる。
【００３０】
また、図４（ａ），（ｂ）に示すように、保持片１７ａにおいて対角に位置する２つの角部１９はＲ形状に面取りされている。これにより、保持片１７ａを非係合位置から係合位置に回動させるとき、角部１９が下側ダクト部５の側壁部５ｂの内面に干渉しないようにして円滑に回動動作することができる。
【００３１】
図５は、第２保持部１６ｂの（ａ）非係合位置と（ｂ）係合位置を示す図である。上述した第１保持部１６ａは、筐体１２の長手方向に関する位置が固定されている。これに対し、図３及び図５（ａ）に示すように、第２保持部１６ｂは、筐体１２の長手方向に沿ってスライド可能に構成されている。
【００３２】
具体的には、筐体１２の上部１２ａの上面には、長手方向に沿って延在する長孔１５が形成されている。第２保持部１６ｂにおいて、軸部材１８には保持片１７ｂの下方位置に隙間をあけてワッシャ部２１が固定されており、ワッシャ部２１の外周側縁部が長孔１５の両側縁部に当接している。また、筐体１２の上部１２ａの上面にも、上記長孔１５と同様の長孔（図示せず）が形成されており、軸部材１８の下端部がこの長孔にスライド可能に挿通されている。これにより、第２保持部１６ｂでは、保持片１７ｂが軸部材１８及びワッシャ部２０，２１と共に長孔１５に沿って第１及び第２保持部１６ａ，１６ｂの並び方向である筐体１２の長手方向にスライド可能になっている。
【００３３】
図５（ａ）に示すように、保持片１７ｂが、その長辺方向が筐体１２の長手方向に沿った非係合位置にあるとき、レバー２２の両端が筐体１２の上部１２ａの両側の側面から突出している。この状態で、照明器具１０を配線ダクト２に下方から接近させることで、配線ダクト２の下側ダクト部５の開口部７から第２保持部１６ｂの保持片１７ｂを挿入することができる。
【００３４】
第２保持部１６ｂの保持片１７ｂが下側ダクト部５内に挿入された状態で、レバー２２を矢印方向に回動操作すると、図５（ｂ）に示すように、保持片１７ｂが、その長手方向が筐体１２の長手方向と交差する向き、より詳しくは、筐体１２の長手方向と略直交する向きとなる係合位置となる。これにより、保持片１７ｂの長手方向の両端部が下側ダクト部５の第１リブ５ｃと第２リブ５ｄとの間に係合し、照明器具１０が配線ダクト２に保持される。
【００３５】
図５（ｂ）に示すように、レバー２２が回動操作されたとき、第１保持部１６ａと同様に、レバー２２の両端部が筐体１２の上部１２ａと下部１２ｂとの境界に形成される段部１３内に納まるように構成されている。これにより、配線ダクト２に取り付けられた状態での照明器具１０の外観がすっきりした良好なものになる。
【００３６】
また、図５（ａ），（ｂ）に示すように、保持片１７ｂにおいて対角に位置する２つの角部１９はＲ形状に面取りされている。これにより、保持片１７ｂを非係合位置から係合位置に回動させるとき、角部１９が下側ダクト部５の側壁部５ｂの内面に干渉しないようにして円滑に回動動作することができる。
【００３７】
第２保持部１６ｂの保持片１７ｂを下側ダクト部５内に挿入しようとしたとき、図１に示すように、配線ダクト２同士を連結する連結部材３の位置と第２保持部１６ｂの位置が重なることがある。この場合、両者の位置が重ならない位置にするために照明器具１０の位置をずらして取り付けると隣接する照明器具１０との間に隙間が形成されることで照明システム１の見栄えが悪くなる。
【００３８】
これに対し、本実施形態の照明器具１０では、第２保持部１６ｂの位置を筐体１２の長手方向に沿って矢印Ｂ又はＣ方向へスライド移動させることできる。したがって、連結部材３と重ならない位置まで第２保持部１６ｂをスライドさせて配線ダクト２に保持させることで、照明器具１０を所望の位置に取り付けることができる。その結果、隣接する照明器具１０との間に隙間をあけることなく照明器具１０を取り付けることができ、照明システム１の見栄えを良くすることができる。
【００３９】
なお、上記においては、一対の保持部１６ａ，１６ｂのうち第２保持部１６ｂをスライド可能に設けた例について説明したが、これに限定されるものでない。第１保持部１６ａだけをスライド可能に構成してもよいし、第１および第２保持部１６ａ，１６ｂの両方をスライド可能に構成してもよい。
【００４０】
図６は、照明器具１０の機能ブロック図である。照明器具１０は、光源３０と、光源３０に電力を供給する電源部３２とを備える。本実施形態では、光源３０および電源部３２は、筐体１２の下部１２ｂ内に収容されている。光源３０は、例えばＬＥＤ（Light Emitting Diode）によって好適に構成される。ただし、光源３０は、ＬＥＤ以外の例えば有機ＥＬ(Electoro-luminescence)、蛍光灯などで構成されてもよい。
【００４１】
電源部３２は、光源３０に電気的に接続されており、光源３０に電力を供給する。光源３０は、電源部３２からの電力供給によって発光する。電源部３２は、給電端子として機能する第１保持部１６ａの保持片１７ａに電気的に接続されている。これにより、保持片１７ａが配線ダクト２の下側ダクト部５内の電源線６に接続されると、外部電源８に接続されている電源線６から保持片１７ａを介して電源部３２に電力が供給される。電源部３２は、交流直流変換機能を有するのが好ましく、電源線６から供給される交流電力を直流電力に変換して光源３０に供給することができ、これにより例えばＬＥＤからなる光源３０を発光させることができる。
【００４２】
また、電源部３２は、通信機能を有するのが好ましく、例えばリモコン等から送信される点灯状態制御信号を受信することによって、光源３０の点灯状態（例えば、点灯、消灯、調光など）を制御することができる。
【００４３】
上述したように、本実施形態は、配線ダクト２に取り付けられる照明器具１０であって、筐体１２と、筐体１２に設けられた光源３０と、筐体１２内に収容され、配線ダクト２内の電源線６から供給される電力を光源３０に供給する電源部３２と、筐体１２を配線ダクト２に保持させる一対の保持部１６ａ，１６ｂとを備え、一対の保持部１６ａ，１６ｂの少なくとも一方には電源線６に接続される給電端子が設けられ、一対の保持部１６ａ，１６ｂの少なくとも一方は、一対の保持部１６ａ，１６ｂの並び方向にスライド可能に設けられている。
【００４４】
この構成によれば、照明器具１０の保持部１６ａ，１６ｂの位置が配線ダクト２の連結部材３の位置と重なる場合でも照明器具１０を所望位置で配線ダクト２に取り付けることができ、複数の照明器具１０を含む照明システム１の見栄えを良くすることができる。
【００４５】
本実施形態の照明器具１０において、筐体１２は長手方向を有する部材であり、一対の保持部１６ａ，１６ｂの少なくとも一方は、筐体１２の長手方向にスライド可能である。
【００４６】
この構成によれば、照明器具１０の一方の保持部１６ｂの位置が配線ダクト２の連結部材３の位置と重なる場合でも照明器具１０を所望位置で配線ダクト２に取り付けることができ、複数の照明器具１０を含む照明システム１の見栄えを良くすることができる。
【００４７】
また、本実施形態の照明器具１０において、一対の保持部１６ａ，１６ｂは、それぞれ、長辺方向および短辺方向を有する保持片１７ａ，１７ｂを有し、各保持片１７ａ，１７ｂは筐体１２に対して回動可能に設けられており、配線ダクト２の長手方向に延在する開口部７に、保持片１７ａ，１７ｂがその長辺方向が配線ダクト２の長手方向に沿った向きで挿入され、この状態で保持片１７ａ，１７ｂがその長辺方向が配線ダクト２の長手方向と交差する向きに回動することによって保持片１７ａ，１７ｂが開口部７の内側に係合することにより筐体１２が配線ダクト２に保持される。
【００４８】
この構成によれば、一対の保持部１６ａ，１６ｂの保持片１７ａ，１７ｂを配線ダクト２の開口部７に挿入して回動させることで、照明器具１０を配線ダクト２に容易に取り付けることができる。
【００４９】
この場合、筐体１２の側面に、保持片１７ａ，１７ｂを回動させるレバー２２が突出して設けられているのが好ましい。これにより、筐体１２の側面に突出したレバー２２を操作することによって、照明器具１０を配線ダクト２に容易に取り付けることができる。
【００５０】
なお、本開示は上述した実施形態および変形例に限定されるものではなく、本願の特許請求の範囲に記載された事項の範囲内において種々の変更や改良が可能である。
【００５１】
例えば、上記では光源３０から導入された光を拡散させることによって面発光する発光板１４を備えた照明器具１０について説明したが、これに限定されるものではない。図７（ａ）に示すように、下方から見て長方形状をなすカバー部材４０ａを備え、カバー部材４０ａの内部において例えば複数のＬＥＤが長手方向に沿って配置されている光源基板が設けられている照明器具１０Ａであってもよい。あるいは、図７（ｂ）に示すように、下方から見て円形状をなすカバー部材４０ｂを備え、カバー部材４０ｂの内部において例えば複数のＬＥＤが同心状の複数の円形に沿って配置されている光源基板が設けられている照明器具１０Ｂであってもよい。
【符号の説明】
【００５２】
１  照明システム、２  配線ダクト、３  連結部材、４  上側ダクト部、４ａ，５ａ  底面部、４ｂ，５ｂ  側壁部、５  下側ダクト部、６  電源線、７  開口部、８  外部電源、１０，１０Ａ，１０Ｂ  照明器具、１２  筐体、１２ａ  上部、１２ｂ  下部、１３  段部、１４  発光板、１５  長孔、１６ａ  第１保持部、１６ｂ  第２保持部、１７ａ，１７ｂ  保持片、１８  軸部材、２０，２１  ワッシャ部、２２  レバー、２４  スリット、３０  光源、３２  電源部、４０ａ，４０ｂ  カバー部材。
【図１】
2020123439.tif 000003
【図２】
2020123439.tif 000004
【図３】
2020123439.tif 000005
【図４】
2020123439.tif 000006
【図５】
2020123439.tif 000007
【図６】
2020123439.tif 000008
【図７】
2020123439.tif 000009